(57)【要約】【課題】  車体開口部周縁のいずれの部分においてもフランジとウエザストリップの遮音性に優れた自動車用ウエザストリップを提供することを目的とするものである。【解決手段】  ウエザストリップ１０は、車体開口部開閉部材又は車体開口部周縁６のいずれか一方の部材に設けられているフランジ７に取付けられる取付基部２０と、取付基部に一体的に取付けられ、車体開口部開閉部材と車体開口部周縁との間をシールするシール部３０を有し、断面略Ｕ字形又は断面略Ｊ字形の取付基部２０内部の奥に別成形された比重が０．２以下の高発泡スポンジ材料からなるシーラント部材７０を挿入し、底壁２３に接着したことを特徴とする自動車用ウエザストリップである。【選択図】        図  １
2006205846.tif 000002
【特許請求の範囲】
【請求項１】
自動車の車体開口部開閉部材と自動車の車体開口部周縁との間をシールするウエザストリップにおいて、
該ウエザストリップは、上記車体開口部開閉部材又は車体開口部周縁のいずれか一方の部材に設けられているフランジに取付けられる取付基部と、該取付基部に一体的に取付けられ、上記の他方の部材である車体開口部周縁又は車体開口部開閉部材に当接して上記車体開口部開閉部材と上記車体開口部周縁との間をシールするシール部を有し、
上記取付基部は、車外側側壁、車内側側壁および底壁から形成される断面略Ｕ字形又は断面略Ｊ字形をなすとともに、上記断面略Ｕ字形又は断面略Ｊ字形の上記取付基部内部の奥に別成形された比重が０．２以下の高発泡スポンジ材料からなるシーラント部材を挿入し、上記底壁に接着したことを特徴とする自動車用ウエザストリップ。
【請求項２】
上記シーラント部材は、ＥＰＤＭゴムまたはオレフィン系熱可塑性エラストマーで形成され、オレフィン系熱可塑性樹脂製の接着フィルムで上記取付基部内部に熱溶着により接着されるとともに、上記フランジに取付けられたときに、上記フランジの先端が上記シーラント部材に埋入される請求項１に記載の自動車用ウエザストリップ。
【請求項３】
上記車体開口部開閉部材はドアであり、上記ウエザストリップは、オープニングトリムウエザストリップである請求項１または請求項２に記載の自動車用ウエザストリップ。
【請求項４】
上記取付基部は、内部に芯材が埋設され、該芯材は、上記取付基部内で分離または伸縮可能に形成されている請求項１乃至請求項３のいずれかに記載の自動車用ウエザストリップ。
【請求項５】
上記取付基部は、ソリッド材または微発泡材で形成され、上記シール部は、スポンジ材で中空状に形成される請求項１乃至請求項４のいずれかに記載の自動車用ウエザストリップ。
【請求項６】
上記ウエザストリップのシール部は、ＥＰＤＭゴム又はオレフィン系熱可塑性エラストマーのスポンジ材で形成され、上記取付基部は、ＥＰＤＭゴム又はオレフィン系熱可塑性エラストマーのソリッド材または微発泡材で形成された請求項１乃至請求項５のいずれかに記載の自動車用ウエザストリップ。
【発明の詳細な説明】
【技術分野】
【０００１】
本発明は、自動車ドア、ラッゲージ、スライディングルーフ等の車体開口部を開閉する車体開口部開閉部材と車体開口部周縁との間をシールする自動車用ウエザストリップに関するものである。
【背景技術】
【０００２】
以下、本発明について、図３に示すように、自動車ドア２と車体開口部周縁６のシールを例に取り説明するが、バックドア、ラッゲージ、スライディングルーフ等の車体開口部を開閉する車体開口部開閉部材に対しても同様に使用することができる。
従来、自動車ドア２と車体開口部周縁６との間のシールは、図５に示すように、ドア２におけるドアフレーム等の外周のリテーナー４に取付けられるドアウエザストリップ１６０と、ドアフレーム等の内周のチャンネル３に取付けられるガラスラン１５０と、車体開口部周縁６のフランジ７に取付けられるオープニングトリムウエザストリップ１１０とによりなされる。
なお、上記フランジ７は車体開口部周縁を規定しているアウターパネル６の車内側のインナーパネル８等の先端部が溶接等により接合されて形成されている。
【０００３】
ガラスラン１５０は、車外側側壁１５１、底壁１５２と車内側側壁１５３からなる断面略コ字形の内部にドアガラス５の先端を収納し、その先端を車外側側壁１５１と車内側側壁１５３の先端から延設した車外側シールリップ１５４と車内側シールリップ１５５によりシールしている。
【０００４】
ドア２の外周に取付けられたドアウエザストリップ１６０は、取付基部１６１とその上部に一体に形成された中空シール部１６４とシールリップ部１６６から構成される。取付基部１６１は、ドアフレームの外周に設けられたリテーナー４に嵌め込まれてドアフレームに固定される。そして、ドア２閉時にシールリップ部１６６が車体開口部周縁（アウターパネル）６の最も車外側の側端に当接し、ドア２の先端と車体開口部周縁６の車外側側端との間の隙間をシールする。そのとき、中空シール部１６４は、車体開口部周縁６のシールリップ部１６６が当接する部分よりも車内側の膨出部分に当接して、ドア２と車体開口部周縁６との間をシールしている。
【０００５】
車体の開口部には、上記のフランジ７に取付けられたオープニングトリムウエザストリップ１１０があり、ドアウエザストリップ１６０が車体開口部周縁６をシールする部分よりもさらに車内側でドア２と車体開口部周縁６との間をシールしている。オープニングトリムウエザストリップ１１０は、断面略Ｕ字形の取付基部（トリム部）１２０により上記のフランジ７に取付けられ、中空シール部１３０がドアフレームの膨出部２aに当接してシールする。この取付基部１２０は、フランジ７を把持するために、金属インサート等の芯材１２４が埋設され、フランジ保持リップを備えている。
【０００６】
上記のように、フランジ７は車体開口部周縁を規定しているアウターパネル６と車内側のインナーパネル８等の先端部が溶接等により接合されて形成されており、車体開口部周縁では、アウターパネル６とインナーパネル8はフランジ７の外側で空洞を形成している。この空洞を通って、風切り音、タイヤノイズや路面反射音等の騒音が車体開口部周縁の全周に亘り伝達されるが、フランジ７はスポット溶接による凹凸や、フランジ７端部の板金の凹凸により隙間が生じる。この隙間から上記の騒音が漏れて、車内に伝達されることとなる。
【０００７】
このフランジ７から漏れる騒音と、車外からオープニングトリムウエザストリップ１１０のトリム部１２０の内部を経由して車内に侵入する雨水、埃、騒音を防止するために、トリム部１２０の内部に粘性の高い不乾性のシーラーを封入するものもある（例えば、特許文献１参照。）。
しかしながら、このシーラーは粘性の高い液状であるため、その取り扱いに手間がかかり、一端組み付けた後に、トリム部１２０をフランジ７から外し、再度組み付けるときに、フランジ７やトリム部１２０の外面にシーラーが付着して、再組付けが困難であった。
【０００８】
また、同様の目的でトリム部１２０の内部にスポンジゴム等のシール部材を挿入するものもある（例えば、特許文献２参照。）。この場合は、スポンジゴム等のシール部材をトリム部１２０の内部に嵌め込むのみであり、スポンジゴムをトリム部１２０の奥まで挿入することが手間がかかり、また、シール部材がずれたりして、フランジ７の先端を充分包み込むことができない場合があった。
【０００９】
さらに、図６に示すように、車体開口部周縁（アウターパネル）６とインナーパネル8の先端に形成されたフランジ７をシールする中空シール部１３０とトリム部１２０を有するオープニングトリムウエザストリップ１１０において、防水性の目的でトリム部１２０の内部に比重が０．１〜０．５程度の低比重スポンジのシール部材１７０をトリム部１２０と一体的に押出成形し、そのシール部材１７０にフランジ７を埋入させるものもある（例えば、特許文献３参照。）。この場合は、低比重スポンジのシール部材１７０とトリム部１２０とは、発泡部材と非発泡部材の一体押出成形のため、押出成形とその後の加硫工程の制御が難しく、製造効率がよくなかった。
【００１０】
また、図７に示すように、遮音性の向上のため、中空シール部１３０の内部に比重が０．１〜０．３程度の高発泡スポンジ材１７０を、中空シール部１３０の押出成形と同時に一体成形するものもある（例えば、特許文献４参照。）。この場合も、上記と同様に高発泡スポンジ材１７０と中空シール部１３０の一体押出成形のため、押出成形とその後の加硫工程の制御が難しく、製造効率がよくなかった。
【特許文献１】実公昭５０−４２２９１号公報
【特許文献２】実公昭５４−１６５４２２号公報
【特許文献３】特開平９−３１５１５２号公報
【特許文献４】特開２００１−２０６１６６号公報
【発明の開示】
【発明が解決しようとする課題】
【００１１】
このため、本発明は、車体開口部周縁６のいずれの部分においてもフランジとウエザストリップの遮音性に優れた自動車用ウエザストリップを提供することを目的とするものである。
【課題を解決するための手段】
【００１２】
上記課題を解決するために請求項１の本発明は、自動車の車体開口部開閉部材と自動車の車体開口部周縁との間をシールするウエザストリップにおいて、
ウエザストリップは、車体開口部開閉部材又は車体開口部周縁のいずれか一方の部材に設けられているフランジに取付けられる取付基部と、取付基部に一体的に取付けられ、上記の他方の部材である車体開口部周縁又は車体開口部開閉部材に当接して車体開口部開閉部材と車体開口部周縁との間をシールするシール部を有し、取付基部は、車外側側壁、車内側側壁および底壁から形成される断面略Ｕ字形又は断面略Ｊ字形をなすとともに、断面略Ｕ字形又は断面略Ｊ字形の取付基部内部の奥に別成形された比重が０．２以下の高発泡スポンジ材料からなるシーラント部材を挿入し、底壁に接着したことを特徴とする自動車用ウエザストリップである。
【００１３】
請求項１の本発明では、ウエザストリップは、自動車の車体開口部開閉部材又は車体開口部周縁のいずれか一方の部材に設けられているフランジに取付けられる取付基部（トリム部）と、取付基部に一体的に取付けられ、上記の他方の部材である車体開口部周縁又は車体開口部開閉部材に当接して、車体開口部開閉部材と車体開口部周縁との間をシールするシール部を有している。このため、ドアフレームの外周又は車体開口部周縁に取付基部を取付けると、車体開口部開閉部材の閉時にシール部が車体開口部周縁又は車体開口部開閉部材に当接して、車体開口部開閉部材と車体開口部周縁との間をシールすることができる。
【００１４】
取付基部（トリム部）は、車外側側壁、車内側側壁および底壁から形成される断面略Ｕ字形又は略Ｊ字形をなしている。このため、車体開口部開閉部材の外周又は車体ドア開口縁に形成されたフランジを、取付基部の内部に挿入するとともに、車外側側壁、車内側側壁、底壁及びその内部に形成されたシールリップによりフランジの先端を保持しているので、フランジの肉厚が変化しても自動車用ウエザストリップを容易に装着することができる。
【００１５】
また、断面略Ｕ字形又は断面略Ｊ字形の取付基部内部の奥に、別成形された比重が０．２以下の高発泡スポンジ材料からなるシーラント部材を挿入し、底壁に接着している。このため、比重が０．２以下の高発泡スポンジ材料からなるシーラント部材により、フランジから車内への騒音の侵入を防止できるとともに、シーラント部材の柔軟性が高く、ウエザストリップのフランジへの挿入力が少なく装着が容易である。また、シーラント部材を別体で形成し、底壁に接着したため、シーラント部材の成形が容易であるとともに、シーラント部材がトリム部内で安定し、フランジの先端をシーラント部材の中に確実に埋入することができる。
【００１６】
請求項２の本発明は、シーラント部材は、ＥＰＤＭゴムまたはオレフィン系熱可塑性エラストマーで形成され、オレフィン系熱可塑性樹脂製の接着フィルムで取付基部内部に熱溶着により接着されるとともに、フランジに取付けられたときに、フランジの先端がシーラント部材に埋入される自動車用ウエザストリップである。
【００１７】
請求項２の本発明では、シーラント部材は、ＥＰＤＭゴムまたはオレフィン系熱可塑性エラストマーで形成され、オレフィン系熱可塑性樹脂製の接着フィルムで取付基部内部に熱溶着により接着されている。このため、シーラント部材と接着フィルムはいずれもオレフィン系の材料であるので容易に、強く熱溶着することができる。また、接着剤が接着フィルムであるため、トリム部の成形とほぼ同時に接着フィルムを介して連続的に、シーランと部材をトリムに接着させることができる。さらに、フランジに取付けられたときに、フランジの先端がシーラント部材に埋入されるので、フランジとトリム部の間を確実にシールすることができる。
【００１８】
請求項３の本発明は、車体開口部開閉部材はドアであり、ウエザストリップは、オープニングトリムウエザストリップである自動車用ウエザストリップである。
【００１９】
請求項３の本発明では、車体開口部開閉部材はドアであり、ウエザストリップは、オープニングトリムウエザストリップであるため、車体開口部周縁のフランジの隙間から車内に侵入する騒音を確実に防止することができる。
【００２０】
請求項４の本発明は、取付基部は、内部に芯材が埋設され、芯材は、取付基部内で分離または伸縮可能に形成されている自動車用ウエザストリップである。
【００２１】
請求項４の本発明では、取付基部は、内部に芯材が埋設され、芯材は、取付基部内で分離または伸縮可能に形成されているため、芯材によりフランジの挟持力を向上させることができるとともに、自動車ドアの外周又は車体ドア開口縁の形状に沿って、コーナー部でも取付基部を柔軟に曲げて装着することができる。
【００２２】
請求項５の本発明は、取付基部は、ソリッド材または微発泡材で形成され、シール部は、スポンジ材で中空状に形成される形成される自動車用ウエザストリップである。
【００２３】
請求項５の本発明は、取付基部がソリッド材または微発泡材で形成されるため、自動車ドア又は車体開口部周縁のフランジを確実に把持することができる。
シール部は、自動車ドア又は車体開口部周縁のいずれかに当接する中空状のスポンジ材で形成されるため、自動車ドア又は車体開口部周縁の形状に沿って、柔軟に当接することができ、シール性が高い。
【００２４】
請求項６の本発明は、ウエザストリップのシール部は、ＥＰＤＭゴム又はオレフィン系熱可塑性エラストマーのスポンジ材で形成され、取付基部は、ＥＰＤＭゴム又はオレフィン系熱可塑性エラストマーのソリッド材または微発泡材で形成された自動車用ウエザストリップである。
【００２５】
請求項６の本発明では、ウエザストリップのシール部は、ＥＰＤＭゴム又はオレフィン系熱可塑性エラストマーのスポンジ材で形成され、取付基部は、ＥＰＤＭゴム又はオレフィン系熱可塑性エラストマーのソリッド材または微発泡材で形成されたため、同じ種類の材料を使用して同時押出成形ができ、耐候性のよい製品を得ることができる。また、同じオレフィン系樹脂・ゴムのため分離せずにリサイクル使用ができ、リサイクル容易な製品を得ることができる。
【発明の効果】
【００２６】
本発明は、別成形された比重が０．２以下の高発泡スポンジ材料からなるシーラント部材を取付基部内部の奥に挿入し、底壁に接着していため、比重が０．２以下の高発泡スポンジ材料からなるシーラント部材により、フランジから車内への騒音の侵入を防止できるとともに、ウエザストリップのフランジへの挿入力が少なく装着が容易である。また、シーラント部材を別体で形成し、底壁に接着したため、シーラント部材がトリム部内で安定し、フランジの先端をシーラント部材の中に確実に埋入することができる。
【発明を実施するための最良の形態】
【００２７】
本発明の実施の形態を、オープニングトリムウエザストリップ１０を例にとり説明する。本発明は、オープニングトリムウエザストリップ１０以外にも、ドアウエザストリップ、ラッゲージウエザストリップ、バックドアウエザストリップ等の自動車の車体開口部とその開口部を閉じる車体開口部開閉部材に使用されるウエザストリップにも使用することができる。
【００２８】
本発明を、図１〜図４に基づき説明する。
図１は、本発明のオープニングトリムウエザストリップ１０が図３における車体開口部周縁６に装着された状態の図４におけるＡ−Ａ線に沿った部分の断面図である。図２は、本発明の他の実施の形態におけるオープニングトリムウエザストリップ１０が図３における車体開口部周縁６に装着された状態の図４におけるＡ−Ａ線に沿った部分の断面図である。
図３は自動車のドア２を開いた状態において、車体開口部周縁６への取付状態を示す斜視図である。図４は、上記車体開口部周縁６に装着されるオープニングトリムウエザストリップ１０の正面図である。
【００２９】
図３に示すように、自動車の車体１は、車体開口部を有し、その車体開口部は、車体開口部の開閉部材であるドア２により開閉される。車体開口部の周囲は、車体開口部周縁６を形成し、車体開口部周縁６では、先端が車体を構成する車体開口部周縁６を規定しているアウターパネル６とインナーパネル８の先端が合体されて、溶接されて、フランジ７（図1、２参照）となっている。このフランジ７に車体開口部周縁６とドア２との間をシールするオープニングトリムウエザストリップ１０が装着される。
【００３０】
オープニングトリムウエザストリップ１０は、押出成形により直線状に成形される。この直線状に形成された１本のオープニングトリムウエザストリップ１０は、図４に示すように、車体開口部周縁６の形状に沿って、環状となるようにフランジ７に装着される。装着は、オープニングトリムウエザストリップ１０の一方の端末から順次フランジ７に装着され、装着が完了すると、他方の端末が一方の端末と接合することとなる。この端末は、接続部１１により型接合されて、環状に形成されていてもよい。
また、オープニングトリムウエザストリップ１０の端末同士を装着前に接着して環状にしてもよい。
【００３１】
次に、図１に基づき、オープニングトリムウエザストリップ１０の断面形状について説明する。
オープニングトリムウエザストリップ１０は、フランジ７に取付けられる、断面略Ｕ字形の取付基部（トリム部）２０と、ドア２のドアフレームの膨出部２aに当接して、ドア２と車体開口部周縁６との間をシールする中空状のシール部（中空シール部）３０を有する。
【００３２】
トリム部２０は、車外側側壁２１、車内側側壁２２と底壁２３からなる断面略Ｕ字形をなし、トリム部２０がフランジ７を挟持する力を強くするため、その内部に芯材２４を埋設してもよい。
芯材２４は、板金、針金または硬質合成樹脂で形成される。板金または硬質合成樹脂の場合は、短冊状の骨片を幅方向に平行に多数配列し、その短冊状の骨片を長手方向に梯子状あるいは魚骨状に連結したものや、短冊状の骨片をジグザグ状に連続したものが使用される。トリム部２０の柔軟性を増大させるために、芯材２４を埋設後に、短冊状の骨片の連結部分を、１個毎あるいは複数個毎に分離するものも使用することができる。短冊状の骨片をジグザグ状に連続したものは、長手方向にも伸縮性があり、柔軟性を有する。
針金の芯材２４は、針金をジグザグ状に折り曲げて、長手方向に複数の糸で保持した、いわゆるワイヤーキャリアタイプのものが使用される。
【００３３】
トリム部２０の内面には、車外側側壁２１と車内側側壁２２からそれぞれ斜め底壁２３方向に複数の車外側保持リップ２１ｂと車内側保持リップ２２ｂが延設されている。車体開口部周縁６のフランジ７がトリム部２０の断面略Ｕ字形の内部に挿入されたときに、車外側保持リップ２１ｂと車内側保持リップ２２ｂがフランジ７の側面を挟持して、オープニングトリムウエザストリップ１０を保持することができる。本実施の形態では、車外側保持リップ２１ｂは短く複数本形成され、車内側保持リップ２２ｂは長く一本形成されている。車体開口部周縁６の各部分でフランジ７を構成する板金の枚数が異なるため、フランジ７は、その厚さが変化する。車内側保持リップ２２ｂは、フランジ７の厚さの変化につれて柔軟に屈曲し、いずれの厚さにおいても確実にフランジ７を保持することができる。
トリム部２０の底壁２３と車内側側壁２２の連続部分から、車内方向にカバーリップ２９が延設され、車内に装着されたガーニッシュ４０の先端をカバーして、美観を向上させている。
【００３４】
トリム部２０の内部にシーラント部材７０が挿入されている。シーラント部材７０は、比重が０．２以下の高発泡スポンジで形成されている。材料は、ＥＰＤＭゴム又はオレフィン系熱可塑性エラストマーで形成されることが好ましい。後述するようにトリム部２０はＥＰＤＭゴム又はオレフィン系熱可塑性エラストマーで形成することが好ましいため、同種類の材料で形成すると強固に接着することができるからである。シーラント部材７０は、比重が０．２以下であるため、柔軟性が高く、オープニングトリムウエザストリップ１０をフランジ７に装着したときに、フランジ７の先端が容易にシーラント部材７０の中に埋入することができ、挿入力が小さくなり、装着が容易である。
【００３５】
シーラント部材７０は、トリム部２０内に接着される。このため、シーラント部材７０はトリム部２０内で安定し、フランジ７の先端をシーラント部材７０の中に確実に埋入することができる。
図２に示すように、トリム部２０内の底壁２３の内面に接着シート部材７２を貼着し、この接着シート部材７２でシーラント部材７０を熱溶着することができる。この場合は、後述するオープニングトリムウエザストリップ１０の製造時に、トリム部２０がハ字形に開いた状態で、押出成形後あるいは加硫後の加熱された状態で接着シート部材７２を底壁２３の内面に貼着すると、接着シート部材７２はトリム部２０の熱で溶融して接着する。そして、同時に、別に成形したシーラント部材７０を接着シート部材７２の上に圧着すると、溶融状態の接着シート部材７２とシーラント部材７０は溶融接着する。
【００３６】
このとき、シーラント部材７０は、ＥＰＤＭゴムまたはオレフィン系熱可塑性エラストマーで形成され、接着シート部材７２はオレフィン系熱可塑性樹脂で形成されているため、シーラント部材７０と接着シート部材７２はいずれもオレフィン系の材料であるので容易に、強く熱溶着することができる。また、接着剤がフィルム状であるため、トリム部２０の成形とほぼ同時に接着シート部材７２を介して連続的に、シーラント部材７０をトリム部２０に熱溶着させることができる。
なお、接着シート部材７２の代わりに、他の接着剤を使用してシーラント部材７０を接着することもできる。
また、先に接着シート部材７２をシーラント部材７０に接着し、その後、オープニングトリムウエザストリップ１０のトリム部２０に熱溶着することもできる。
【００３７】
また、オープニングトリムウエザストリップ１０は、トリム部２０に中空シール部１４が一体的に形成されている。本実施の形態では、車外側側壁２１の外面に一体的に形成されている。中空シール部１４はドア閉時にドア２の膨出部２ａに当接して、ドア２と車体開口部周縁６の間をシールする。中空シール部１４以外に、リップ状のシールリップを設けてもよい。中空シール部３０は、ＥＰＤＭゴム又はオレフィン系熱可塑性エラストマーのスポンジ材で形成され、トリム部（取付基部）は、ＥＰＤＭゴム又はオレフィン系熱可塑性エラストマーのソリッド材又は微発泡材で形成されると、耐候性のよい製品を得ることができる。また、この場合は、オープニングトリムウエザストリップ１０は全体としてオレフィン系でありそのまま一緒に粉砕等を行い、リサイクルして使用することができる。
【００３８】
次に、ドアオープニングトリムウエザストリップ１０の製造方法を説明する。
このドアオープニングトリムウエザストリップ１０は、押出成形により成形され、トリム部２０に金属または硬質合成樹脂製の芯材２４を埋設する場合においても、芯材２４とトリム部２０を構成するソリッドゴムと中空シール部３０を構成するスポンジゴムを押出成形機で一体に押出すことができる。
【００３９】
オープニングトリムウエザストリップ１０の成形においては、成形材料は、合成ゴム、熱可塑性エラストマーが使用され、例えば合成ゴムでは、ＥＰＤＭゴム、熱可塑性エラストマーでは、ポリオレフィン系エラストマー等が使用される。スポンジ材としてとしては、上記ＥＰＤＭゴム、熱可塑性エラストマーを発泡させて使用する。
なお、シーラント部材７０はオープニングトリムウエザストリップ１０とは別に、同様に上記ＥＰＤＭゴム、熱可塑性エラストマーを押出成形して、発泡させて成形するが発泡倍率は大きく、比重は０．２以下に形成する。
【００４０】
合成ゴムの場合は、押出成形後に加硫槽に搬送されて、熱風や高周波等により加熱されて加硫、発泡が行われる。熱可塑性エラストマー、軟質合成樹脂の場合は、押出成形と同時にあるいは押出成形の後に加熱されて発泡して、冷却され固化される。
熱可塑性エラストマーの場合はこの押出成形後、ゴムの場合は加硫後においては、トリム部２０はハ字形に開いており、テープ状の接着シート部材７２をトリム部２０内に連続的に挿入し、その後すぐに、予め成形しておいた長尺状のシーラント部材７０を接着シート部材７２の上部に圧着する。これによってシーラント部材７０をトリム部２０内に接着する。その後、トリム部２０の芯材２４を分離した後に、断面略Ｕ字形に曲げる。
その後所定の長さに切断されて、押出成形部分は製造される。  
【００４１】
このようにして製造したオープニングトリムウエザストリップ１０は、所定寸法に切断されて、自動車の車体開口縁のフランジ７に取付けられる。
オープニングトリムウエザストリップ１０をフランジ７に取付ける場合は、そのままフランジ７にトリム部２０を挿入する場合や、トリム部２０の断面略Ｕ字状の開口が若干開いた状態で仮固定して、ロールフォーミング方式で取付けることもできる。
【図面の簡単な説明】
【００４２】
【図１】本発明の実施の形態であるオープニングトリムウエザストリップが図４におけるＡ−Ａ線に沿った部分の車体開口部周縁に装着された状態の断面図である。
【図２】本発明の他の実施の形態であるオープニングトリムウエザストリップが図４におけるＡ−Ａ線に沿った部分の車体開口部周縁に装着された状態の断面図である。
【図３】自動車の側面の斜視図である。
【図４】本発明の実施の形態であるオープニングトリムウエザストリップの正面図である。
【図５】従来のオープニングトリムウエザストリップを自動車の開口縁に取付けた状態における一部断面図である。
【図６】従来の他のオープニングトリムウエザストリップを自動車の開口縁に取付けた状態における一部断面図である。
【図７】従来の他のオープニングトリムウエザストリップを自動車の開口縁に取付けた状態における一部断面図である。
【符号の説明】
【００４３】
６  車体開口部周縁（アウターパネル）
１０  オープニングトリムウエザストリップ
２０  取付基部（トリム部）
２１  車外側側壁
２２  底壁
２３  車内側側壁
２４  芯材
３０  中空シール部
７０  シーラント部材
７２  接着シート部材
【図１】
2006205846.tif 000003
【図２】
2006205846.tif 000004
【図３】
2006205846.tif 000005
【図４】
2006205846.tif 000006
【図５】
2006205846.tif 000007
【図６】
2006205846.tif 000008
【図７】
2006205846.tif 000009